(57)【要約】【課題】プリント基板に実装される電子部品の実装位置を回路図のみで正確且つ容易に把握し得る、回路図内に表示する実装位置表示符号及び実装位置表示方法を提供する。【解決手段】回路のＣＡＤデータが元来保有する電子部品の部品番号末尾にＸＹ方向エリア符号を付与した上で、回路図を描画する。【選択図】図３
2006294926.tif 000002
【特許請求の範囲】
【請求項１】
プリント基板に実装される電子部品の実装位置を回路図内に表示する、実装位置表示符号であって、
当該実装位置表示符号は、
プリント基板に、Ｘ方向及びＹ方向に一定間隔で各々区分けして異なる符号を順次割り振ったＸＹ方向エリア符号を予め付与し、
回路のＣＡＤデータが元来保有する、前記電子部品の部品番号と、実装位置ＸＹ座標の両情報を基に演算手段により、当該実装位置ＸＹ座標を相当する前記ＸＹ方向エリア符号に変換した上、部品番号末尾に当該エリア符号を付与して生起され、
前記演算手段は、前記ＣＡＤデータが有する電子部品の部品番号を生起された前記実装位置表示符号で書き換え、
当該ＣＡＤデータから回路図を作製することで、回路図内に表示された実装位置表示符号により、電子部品の実装位置を判別せしめることを特徴とする、実装位置表示符号。
【請求項２】
プリント基板に実装される電子部品の実装位置を回路図内に表示する、実装位置表示符号であって、
当該実装位置表示符号は、
プリント基板にＸＹ方向エリア符号を予め付与し、
前記電子部品の実装位置ＸＹ座標を相当するＸＹ方向エリア符号に変換して、電子部品の部品番号に付与して生起され、
生起された当該実装位置表示符号を回路図に表示することにより、電子部品の実装位置を判別せしめることを特徴とする、実装位置表示符号。
【請求項３】
前記ＸＹ方向エリア符号は、プリント基板に、Ｘ方向及びＹ方向に一定間隔で各々区分けして異なる符号を順次割り振って成り、
前記実装位置表示符号は、回路のＣＡＤデータが元来保有する、前記電子部品の部品番号と、実装位置ＸＹ座標の両情報を基に演算手段により、、当該実装位置座標を相当する前記ＸＹ方向エリア符号に変換した上、部品番号末尾に当該エリア符号を付与して生起され、
前記演算手段は、前記ＣＡＤデータが有する電子部品の部品番号を生起された前記実装位置表示符号で書き換え、
当該ＣＡＤデータから回路図を作製することで、回路図内に表示された実装位置表示符号により、電子部品の実装位置を判別せしめることを特徴とする、請求項２に記載の実装位置表示符号。
【請求項４】
プリント基板に実装される電子部品の実装位置を回路図内に表示する、実装位置表示方法であって、
当該実装位置表示方法は、
（ａ）回路のＣＡＤデータを取り込むステップと、
（ｂ）前記ＣＡＤデータが元来保有する電子部品の実装位置ＸＹ座標を、プリント基板に予め付与されたＸ方向及びＹ方向に一定間隔で各々区分けして異なる符号を割り振ったＸＹ方向エリア符号に変換するステップと、
（ｃ）前記ＣＡＤデータが元来保有する電子部品の部品番号の末尾に、ステップ（ｂ）で変換した前記ＸＹ方向エリア符号を付与するステップと、
（ｄ）ステップ（ｃ）でＸＹ方向エリア符号が付与された部品番号でＣＡＤデータを書き換えるステップと、
（ｅ）ステップ（ｄ）で書き換えたＣＡＤデータにより、ＸＹ方向エリア符号が付与された部品番号が記載された回路図を描画するステップとを有し、
このフローチャートに従って、プリント基板に実装される電子部品の実装位置を回路図内に表示することを特徴とする、実装位置表示方法。
【発明の詳細な説明】
【技術分野】
【０００１】
本発明は、プリント基板に実装される電子部品の実装位置を回路図内に表示する、実装位置表示符号及び実装位置表示方法に関する。
【背景技術】
【０００２】
近年、半導体技術や電子技術の伸展を背景に、各種電子機器においては高機能化が図られている。こうした高機能化のために、電子機器が有する各種構成回路には、高密度実装されたプリント基板が搭載される。
【０００３】
ところで、こうしたプリント基板に実装される電子部品の種類、或いはその点数は、上記した高機能化、或いは小型化を図るのに伴い、増加の一途を辿っている。しかし、生産ラインにおいては、通常、マウンタにより全自動で実装されるため、プリント基板における多種多数にわたる各部品毎の実装位置の確認が困難となるような問題は特には生じない。
【０００４】
一方、生産された後の電子機器のメンテナンスサービス時においては、プリント基板における実装部品個々の交換を要する場合があるが、その際の作業は、通常、サービス要員による人手で行われることになる。そして、このような人手によるプリント基板における電子部品の交換作業では、回路図を確認しながら行われる。
【０００５】
しかしながら、このような回路図においては、電子部品は部品番号（Ｒｅｆ．Ｎｏ．）と、回路配線上での位置しか記載されておらず、プリント基板上の実装位置についての情報は一切、記載されていなかった。そのため、作業者は、回路配線とプリント基板のパターンとを順次照らし合わせ、電子部品の実装位置を辿っていかねばならず、作業性が悪かった。特に、多層配線されたプリント基板において顕著である。又、実装位置を誤認してしまう恐れもあった。
【０００６】
ところで、特開平９−３４９１７号公報（引用文献１）では、印刷配線板等のパターン設計における部品実装設計終了後に、試験や保守の容易化のため部品番号を再設定するため、実装図のＸ軸またはＹ軸に平行にＹまたはＸ座標値毎に補助線を入力するステップと、仮想部品を補助線上に整列させるステップとを設けている。又、部品番号で座標を表す構成、及び基板の縦横に区分された領域を設ける構成が開示されている。
【０００７】
一方、特開２００４−３４２７８８号公報（引用文献２）では、リファレンス番号（Ｒｅｆ．Ｎｏ．）の近傍に、部品の基板への配置が、表か裏かを示すマークを付す構成が開示されている。
【特許文献１】特開平９−３４９１７号公報
【特許文献２】特開２００４−３４２７８８号公報
【発明の開示】
【発明が解決しようとする課題】
【０００８】
しかしながら、前記引用文献１のような構成では、回路図に表示される部品番号は依然、実装位置の情報を有しておらず、回路図のみから電子部品の実装位置を正確に把握することが困難であった。
【０００９】
又、前記引用文献２のような構成では、電子部品の基板への配置を表すマークは、表裏の何れであるかのみに過ぎず、やはり回路図のみから電子部品の実装位置を正確に把握することが困難であった。
【００１０】
本発明は、上記課題にかんがみてなされたもので、プリント基板に実装される電子部品の実装位置を回路図のみで正確且つ容易に把握し得る、回路図内に表示する実装位置表示符号及び実装位置表示方法を提供することを目的とする。
【課題を解決するための手段】
【００１１】
上記問題を解決する為に請求項１に記載の発明は、プリント基板に実装される電子部品の実装位置を回路図内に表示する、実装位置表示符号であって、当該実装位置表示符号は、プリント基板に、Ｘ方向及びＹ方向に一定間隔で各々区分けして異なる符号を順次割り振ったＸＹ方向エリア符号を予め付与し、回路のＣＡＤデータが元来保有する、前記電子部品の部品番号と、実装位置ＸＹ座標の両情報を基に演算手段により、当該実装位置ＸＹ座標を相当する前記ＸＹ方向エリア符号に変換した上、部品番号末尾に当該エリア符号を付与して生起され、前記演算手段は、前記ＣＡＤデータが有する電子部品の部品番号を生起された前記実装位置表示符号で書き換え、当該ＣＡＤデータから回路図を作製することで、回路図内に表示された実装位置表示符号により、電子部品の実装位置を判別せしめる構成としている。
【００１２】
上記のように構成した請求項１に記載の発明によれば、ＣＡＤデータが元来保有する電子部品の部品番号の末尾にプリント基板における電子部品の実装位置を表すＸＹ方向エリア符号が付与された実装位置表示符号に書き換えられる。そして、書き換えられた当該ＣＡＤデータにより作製される回路図に、電子部品の実装位置表示符号が表示され、当該回路図を見ることで電子部品の実装位置が判別される。
【００１３】
請求項２に記載の発明は、プリント基板に実装される電子部品の実装位置を回路図内に表示する、実装位置表示符号であって、当該実装位置表示符号は、プリント基板にＸＹ方向エリア符号を予め付与し、前記電子部品の実装位置ＸＹ座標を相当するＸＹ方向エリア符号に変換して、電子部品の部品番号に付与して生起され、生起された当該実装位置表示符号を回路図に表示することにより、電子部品の実装位置を判別せしめる構成としている。
【００１４】
上記のように構成した請求項２に記載の発明によれば、電子部品の部品番号にプリント基板における電子部品の実装位置を表すＸＹ方向エリア符号が付与され生起された実装位置表示符号が回路図に表示され、当該回路図を見ることで電子部品の実装位置が判別される。
【００１５】
請求項３に記載の発明は、前記ＸＹ方向エリア符号は、プリント基板に、Ｘ方向及びＹ方向に一定間隔で各々区分けして異なる符号を順次割り振って成り、前記実装位置表示符号は、回路のＣＡＤデータが元来保有する、前記電子部品の部品番号と、実装位置ＸＹ座標の両情報を基に演算手段により、、当該実装位置座標を相当する前記ＸＹ方向エリア符号に変換した上、部品番号末尾に当該エリア符号を付与して生起され、前記演算手段は、前記ＣＡＤデータが有する電子部品の部品番号を生起された前記実装位置表示符号で書き換え、当該ＣＡＤデータから回路図を作製することで、回路図内に表示された実装位置表示符号により、電子部品の実装位置を判別せしめることを特徴とする、構成としている。
【００１６】
上記のように構成した請求項３に記載の発明によれば、請求項１と同様に、ＣＡＤデータが元来保有する電子部品の部品番号の末尾にプリント基板における電子部品の実装位置を表すＸＹ方向エリア符号が付与された実装位置表示符号に書き換えられる。そして、書き換えられた当該ＣＡＤデータにより作製される回路図に、電子部品の実装位置表示符号が表示され、当該回路図を見ることで電子部品の実装位置が判別される。
【００１７】
尚、以上に述べた実装位置表示符号としてのみならず、方法として構成することも可能である。そこで、請求項４に記載の発明は、プリント基板に実装される電子部品の実装位置を回路図内に表示する、実装位置表示方法であって、当該実装位置表示方法は、（ａ）回路のＣＡＤデータを取り込むステップと、（ｂ）前記ＣＡＤデータが元来保有する電子部品の実装位置ＸＹ座標を、プリント基板に予め付与されたＸ方向及びＹ方向に一定間隔で各々区分けして異なる符号を割り振ったＸＹ方向エリア符号に変換するステップと、（ｃ）前記ＣＡＤデータが元来保有する電子部品の部品番号の末尾に、ステップ（ｂ）で変換した前記ＸＹ方向エリア符号を付与するステップと、（ｄ）ステップ（ｃ）でＸＹ方向エリア符号が付与された部品番号でＣＡＤデータを書き換えるステップと、（ｅ）ステップ（ｄ）で書き換えたＣＡＤデータにより、ＸＹ方向エリア符号が付与された部品番号が記載された回路図を描画するステップとを有し、このフローチャートに従って、プリント基板に実装される電子部品の実装位置を回路図内に表示する構成としている。
【００１８】
上記のように構成した請求項４に記載の発明によれば、請求項１に記載の発明と同様の作用が得られる方法を提供し得る。
【発明の効果】
【００１９】
請求項１に記載の発明によれば、ＣＡＤデータが元来保有する電子部品の部品番号を演算手段で変換するのみで、容易に回路図内に電子部品の実装位置表示符号を表示し得る。従って、回路図を見ることで電子部品の実装位置が正確に判別でき、サービス作業時の電子部品の交換が極めて容易に行える。しかも、何らの新たな装置の追加を必要とせず、低コストで奏し得る。
【００２０】
請求項２に記載の発明によれば、電子部品の部品番号にＸＹ方向エリア符号を付与するのみで、容易に回路図内に電子部品の実装位置表示符号を表示し得る。従って、回路図を見ることで電子部品の実装位置が正確に判別でき、サービス作業時の電子部品の交換が極めて容易に行える。
【００２１】
請求項３に記載の発明によれば、請求項１同様、ＣＡＤデータが元来保有する電子部品の部品番号を演算手段で変換するのみで、容易に回路図内に電子部品の実装位置表示符号を表示し得る。従って、回路図を見ることで電子部品の実装位置が正確に判別でき、サービス作業時の電子部品の交換が極めて容易に行える。しかも、何らの新たな装置の追加を必要とせず、低コストで奏し得る。
【００２２】
請求項４に記載の発明によれば、請求項１に記載の発明と同様の効果が得られる方法を提供し得る。
【発明を実施するための最良の形態】
【００２３】
以下、本発明を具体化した実施例について説明する。
【実施例１】
【００２４】
図１に、本実施例のＣＡＤデータである、演算手段としてのパーソナルコンピュータ（ＰＣ）に格納されているデータテーブル１１を示す。当該データテーブル１１には、個々のプリント基板に配線される回路に実装される各電子部品の部品番号（Ｒｅｆ．Ｎｏ．）、及び正確な実装位置ＸＹ座標が格納されている。
一方、個々のプリント基板１２には、図２に示すようにＸ方向及びＹ方向に一定間隔で各々区分けして異なる符号を順次割り振ったＸＹ方向エリア符号１３が予め付与されている。当該符号１３は例えば、Ｘ方向においては１，２，３…、Ｙ方向においてはＡ，Ｂ，Ｃ…といった具合で付与され、Ｘ方向とＹ方向との組み合わせで基板全体がマトリックス状に区切られるようになっている。
【００２５】
本実施例において、上記ＣＡＤデータを基に、実装位置表示符号を有する回路図を作製するには、図３に示すフローチャートに従いＰＣによって演算処理される。
【００２６】
即ち、ＰＣはまず、ステップ１（Ｓ１）で、図１で上記した電子部品の部品番号及び実装位置ＸＹ座標が格納されたデータテーブルを含む、回路のＣＡＤデータを取り込む。
【００２７】
次に、ステップ２（Ｓ２）で、前記ＣＡＤデータが元来保有する電子部品の実装位置ＸＹ座標を、プリント基板に予め付与されたＸ方向及びＹ方向に一定間隔で各々区分けして異なる符号を割り振ったＸＹ方向エリア符号に変換する。ＸＹ方向エリア符号は、上記したようにＸ方向とＹ方向との組み合わせで基板全体がマトリックス状に区切られるようになっているので、変換は電子部品の実装位置ＸＹ座標が含まれるマトリックスの相当するＸＹ方向エリア符号に成されることになる。
【００２８】
ステップ３（Ｓ３）では、前記ＣＡＤデータが元来保有する電子部品の部品番号の末尾に、前記ステップ２（Ｓ２）で変換した前記ＸＹ方向エリア符号を付与し、実装位置表示符号を作成する。例えば、「Ｒ１００」という部品番号を有する電子部品としての抵抗が図に示すＡ１のマトリックスエリアに位置している場合、部品番号「Ｒ１００」にＸＹ方向エリア符号「Ａ１」を末尾に付与した「Ｒ１００Ａ１」が実装位置表示符号となる。
【００２９】
ステップ４（Ｓ４）では、前記ステップ３（Ｓ３）でＸＹ方向エリア符号が付与された部品番号、即ち実装位置表示符号でＣＡＤデータを書き換える。
【００３０】
ステップ５（Ｓ５）では、前記ステップ４（Ｓ４）で書き換えたＣＡＤデータにより、ＸＹ方向エリア符号が付与された部品番号、即ち実装位置表示符号が記載された回路図を描画して、処理を終了する。
【００３１】
以上の処理により描画された回路図には、上述したように実装位置表示番号が記載されている。従って、回路図を見ることで電子部品の実装位置が正確に判別できる。即ち、実装位置表示番号の末尾に記載されているＸＹ方向エリア符号により、基板１２のどのマトリックスエリアに位置するのかを容易に把握することができる。勿論、ＸＹ方向エリア符号の前にある部品番号により、電子部品の種類も容易に判別できるのは言うまでもない。
【００３２】
この結果、サービス作業時の電子部品の交換が極めて容易に行える。しかも、ＣＡＤデータが元来保有する電子部品の部品番号と、実装位置ＸＹ座標の両情報を基にＰＣにより、処理を自動的に行うので、何らの新たな装置、或いは作業の追加を必要とせず、低コストで奏し得る。
【００３３】
尚、本願発明は本実施例の構成に限定されるものではなく、以下に列記する構成について、適宜変更可能である。
【００３４】
１．本実施例で挙げた電子部品の具体的な部品番号は一例に過ぎず、各種の部品番号が適宜付与される。又、抵抗なら抵抗値、コンデンサなら容量といった具合に、電子部品の仕様を併せて記載しても良い。
【００３５】
２．プリント基板に実装される電子部品は限定はされず、抵抗、コンデンサ等のディスクリート部品は勿論のこと、半導体デバイス等の各種電子部品が広く対象となる。
【００３６】
３．プリント基板は、ガラエポ基板に代表される樹脂基板に限定されるものではなく、金属回路基板、セラミック回路基板等、回路が形成され電子部品が実装され得るあらゆる基板が対象となる。又、回路パターンの形成方法も、純粋なプリントのみならず、パターン箔の張り合わせ、あるいはメッキ等、特に限定はされない。
【００３７】
４．ＸＹ方向エリア符号も本実施例における１，２，３…、Ａ，Ｂ，Ｃ…に限定はされず、例えばカタカナ、ひらがな、記号等、判別可能な各種符号に適宜変更し得る。又、ＸＹ各１文字ずつ計２文字で構成する形態に限定はされず、各複数文字を組み合わせても良い。更には、Ｘ方向とＹ方向の表示順も前後何れであっても良い。
【００３８】
５．電子部品の実装が両面実装である場合には、ＸＹ方向エリア符号に、表裏実装面情報を加えても良い。これによれば、部品の実装面がプリント基板の表裏の何れ側にあるのかを判別することもできる。
【００３９】
６．本実施例においては、実装位置表示符号として、部品番号の末尾にＸＹ方向エリア符号を付与する構成で説明したが、これに限定はされず、例えばＸＹ方向エリア符号を部品番号の前に付与しても良いし、部品番号の中に挿入するように付与しても良い。
【００４０】
７．本実施例では、ＣＡＤデータをＰＣで変換、書き換えする構成で説明したが、この変換、書き換えによる実装位置表示符号の作成作業を人による手作業で行っても良い。この場合、作業性が犠牲にはなるが、回路図内に表示された実装位置表示符号の確認による実装位置の判別は同様に成し得る。
【００４１】
８．演算手段はＰＣに限定はされず、ＣＡＤ専用ワークステーション等、演算処理機能のある他の各種機器で適用可能である。
【００４２】
９．以上に述べた実装位置表示符号としての構成のみならず、同様の構成での実装位置表示方法としても提供し得るのは言うまでも無い。
【産業上の利用可能性】
【００４３】
プリント基板に実装される電子部品の実装位置を回路図のみで正確且つ容易に把握し得る、回路図内に表示する実装位置表示符号及び実装位置表示方法を提供する
【図面の簡単な説明】
【００４４】
【図１】本発明の実施例１を説明する概略図である。
【図２】本発明の実施例１を説明する概略図である。
【図３】本発明の実施例１を説明するフローチャートである。
【符号の説明】
【００４５】
１１…ＣＡＤデータとしてのデータテーブル
１２…プリント基板
１３…ＸＹ方向エリア符号
【図１】
2006294926.tif 000003
【図２】
2006294926.tif 000004
【図３】
2006294926.tif 000005